(57)【特許請求の範囲】
【請求項１】
入力電圧を電力変換した出力電圧を出力する電力変換装置であって、
第１面および前記第１面の反対側の第２面を有する収納ケースと、
前記収納ケース内に配置され、前記収納ケースの前記第１面に対向する第３面および前記第３面の反対側の第４面を有する配線基板と、
前記収納ケースの前記第１面上の第１領域に配置され、前記配線基板に電気的に接続され、前記入力電圧を整流して出力する整流モジュールと、
前記収納ケースの前記第１面上の第２領域に前記整流モジュールに隣接して配置され、前記配線基板に電気的に接続され、前記整流モジュールが整流した電圧を変換して出力するＨブリッジモジュールと、
前記収納ケースの前記第１面上の第３領域に前記Ｈブリッジモジュールに隣接して配置され、前記配線基板に電気的に接続され、Ｈブリッジモジュールが出力した電圧を調整して出力するリアクタと、
前記配線基板の前記第４面上に配置され、前記整流モジュール及びＨブリッジモジュールの動作を制御する制御部と、
前記配線基板の前記第４面上に配置され、前記配線基板の配線を介して前記整流モジュールの出力に接続され、前記整流モジュールが出力した電圧を平滑化する平滑化キャパシタと、
前記配線基板の前記第４面上に配置され、前記配線基板の配線を介して前記リアクタを含むＬＣフィルタの出力に接続され、前記ＬＣフィルタが出力した電圧をフィルタリングして出力するノイズフィルタと、
前記収納ケースの前記第１面上で、前記整流モジュール、Ｈブリッジモジュール、及び、リアクタを封止するとともに、前記配線基板、及び、前記配線基板の前記第４面上の、前記制御部、平滑化キャパシタ、並びに、ノイズフィルタを封止する、第１の封止部材と、を備える
ことを特徴とする電力変換装置。
【請求項２】
前記整流モジュールは、前記第１の封止部材とは異なる第２の封止部材を有し、前記整流モジュールの回路部分は、前記第２の封止部材で封止され、
前記Ｈブリッジモジュールは、前記第１の封止部材とは異なる第３の封止部材を有し、前記Ｈブリッジモジュールの回路部分は、前記第３の封止部材で封止されている
ていることを特徴とする請求項１に記載の電力変換装置。
【請求項３】
前記整流モジュールと前記Ｈブリッジモジュールとが隣接する第１の方向は、前記収納ケースの前記第１面上において、前記Ｈブリッジモジュールと前記リアクタとが隣接する第２の方向と、異なり、
前記平滑化キャパシタは、前記整流モジュールに隣接し且つ前記リアクタと反対側で前記Ｈブリッジモジュールと前記第２の方向に隣接する領域の上方に、位置するように、前記配線基板の前記第４面上に配置されている
ことを特徴とする請求項２に記載の電力変換装置。
【請求項４】
前記配線基板の前記第４面上に配置され、前記配線基板の配線を介して前記整流モジュールの入力に接続され、前記第１の封止部材により前記配線基板との接続部分が封止され、前記入力電圧が供給される入力端子をさらに備える
ことを特徴とする請求項３に記載の電力変換装置。
【請求項５】
前記配線基板の前記第４面上に配置され、前記配線基板に接続され、前記第１の封止部材により前記配線基板との接続部分が封止され、前記ノイズフィルタから供給された電圧を前記出力電圧として出力する出力端子をさらに備える
ことを特徴とする請求項４に記載の電力変換装置。
【請求項６】
前記収納ケースの前記第１面上に配置された、前記整流モジュール、Ｈブリッジモジュール、及び、リアクタの動作時の単位時間当たりの発熱量は、前記配線基板の前記第４面上に配置された平滑化キャパシタ、及び、ノイズフィルタの動作時の単位時間当たりの発熱量よりも、大きい
ことを特徴とする請求項３に記載の電力変換装置。
【請求項７】
前記Ｈブリッジモジュールの動作時の単位時間当たりの発熱量が前記整流モジュールの動作時の単位時間当たりの発熱量よりも、大きい
ことを特徴とする請求項６に記載の電力変換装置。
【請求項８】
前記リアクタの動作時の単位時間当たりの発熱量は、前記整流モジュール及び前記Ｈブリッジモジュールの動作時の単位時間当たりの発熱量よりも、小さいことを特徴とする請求項７に記載の電力変換装置。
【請求項９】
前記整流モジュールが配置される前記第１面の前記第１領域は、前記収納ケースの前記第１面に凹むように形成された第１凹部であり、前記第１凹部の前記第２面側は、前記収納ケースの前記第２面から突出している
ことを特徴とする請求項３に記載の電力変換装置。
【請求項１０】
前記Ｈブリッジモジュールが配置される前記第１面の前記第２領域は、前記収納ケースの前記第１面に凹むように形成された第２凹部であり、前記第２凹部の前記第２面側は、前記収納ケースの前記第２面から突出している
ことを特徴とする請求項９に記載の電力変換装置。
【請求項１１】
前記リアクタが配置される前記第１面の前記第３領域は、前記収納ケースの前記第１面に凹むように形成された第３凹部であり、前記第３凹部の前記第２面側は、前記収納ケースの前記第２面から突出している
ことを特徴とする請求項１０に記載の電力変換装置。
【請求項１２】
前記収納ケースの前記第２面上に配置された放熱フィンをさらに備えることを特徴とする請求項１１に記載の電力変換装置。
【請求項１３】
前記放熱フィンは、前記第２面上において、前記第１面の前記整流モジュールが配置された前記第１領域から前記Ｈブリッジモジュールが配置された前記第２領域に亘る領域に対して、前記収納ケースを介して連続して対向するように、延在している
ことを特徴とする請求項１２に記載の電力変換装置。
【請求項１４】
前記放熱フィンは、前記第１面上で前記第１領域と前記第２領域とが隣接する第１の方向に平行な方向に延在するように、前記第２面上に設けられていることを特徴とする請求項１３に記載の電力変換装置。
【請求項１５】
前記放熱フィンは、外部から供給された気流により冷却されることで、少なくとも前記整流モジュール及びＨブリッジモジュールが発する熱を外部に放出するように構成されるとともに、
前記放熱フィンにより誘導される気流の少なくとも一部が、前記リアクタが配置される前記第３凹部の前記第２面側を避けるように配置されている
ことを特徴とする請求項１４に記載の電力変換装置。
【発明の詳細な説明】
【技術分野】
【０００１】
本発明は、電力変換装置に関する発明である。
【背景技術】
【０００２】
従来、携帯型発電機等に用いられる発電機には、エンジンの駆動によりオルタネータに交流電圧を発生させ、発生した交流電圧を整流回路による整流および電解コンデンサによる平滑化によって直流電圧に変換し、変換された直流電圧をインバータで交流電圧に変換するものがある（例えば、特開２００３‐１０２２００号公報参照）。【０００３】
さらに、上記従来の発電機においては、インバータで変換される交流電圧のノイズのレベルに応じて、インバータの出力側にノイズを低減するためのノイズフィルタが接続されている。【０００４】
このような発電機において、電子部品を収納ケース内に収納された状態で樹脂封止して電力変換装置が構成されている。【０００５】
そして、このような電力変換装置には、熱設計のマージンを考慮して各電子部品（モジュール）に流れる電流のアンバランスを抑制することで、小型化及び低コスト化を図るものがある（例えば、特開２０１７‐１７９１１号公報参照）。【０００６】
しかしながら、従来の電力変換装置では、大電流が流れて発熱量が大きい整流回路や電力を変換するＨブリッジ回路の電流経路と、発熱量が小さい平滑化キャパシタ、ノイズフィルタや制御部の電流経路との関係について十分に検討されていない。【０００７】
そして、例えば、従来の電力変換装置では、交流電圧を整流する整流回路と電力を変換するＨブリッジ回路とが封止された１つのモジュールとして構成されているものがある。【０００８】
このような従来の電力変換装置では、当該モジュールから入力電圧（交流電圧）を整流した電圧が当該モジュールの外部の平滑化キャパシタに出力され、この平滑化キャパシタにより平滑化された直流電圧が当該モジュールの電圧を変換する電子部品に入力される。その後、当該モジュールにより変換された交流電圧が、リアクタ及びノイズフィルタを経由して、電力変換装置の出力電圧として出力されることになる。【０００９】
このように、上記従来の電力変換装置では、当該１つのモジュールから電圧を入出力する電流経路が複数存在するため、この１つのモジュールの複数の電流経路に基づいて熱設計のマージンを検討する必要がある。すなわち、従来の電力変換装置では、熱設計のマージンを考慮して当該電力変換装置のサイズを適切に縮小できない問題がある。
【発明の開示】
【発明が解決しようとする課題】
【００１０】
そこで、本発明では、熱設計のマージンを考慮して電流経路を最適化しつつ、サイズの縮小を図ることが可能な電力変換装置を提供することを目的とする。
【課題を解決するための手段】
【００１１】
本発明の一態様に係る実施形態に従った電力変換装置は、
入力電圧を電力変換した出力電圧を出力する電力変換装置であって、
第１面および前記第１面の反対側の第２面を有する収納ケースと、
前記収納ケース内に配置され、前記収納ケースの前記第１面に対向する第３面および前記第３面の反対側の第４面を有する配線基板と、
前記収納ケースの前記第１面上の第１領域に配置され、前記配線基板に電気的に接続され、前記入力電圧を整流して出力する整流モジュールＹと、
前記収納ケースの前記第１面上の第２領域に前記整流モジュールに隣接して配置され、前記配線基板に電気的に接続され、前記整流モジュールが整流した電圧を変換して出力するＨブリッジモジュールと、
前記収納ケースの前記第１面上の第３領域に前記Ｈブリッジモジュールに隣接して配置され、前記配線基板に電気的に接続され、Ｈブリッジモジュールが出力した電圧を調整して出力するリアクタと、
前記配線基板の前記第４面上に配置され、前記整流モジュール及びＨブリッジモジュールの動作を制御する制御部と、
前記配線基板の前記第４面上に配置され、前記配線基板の配線を介して前記整流モジュールの出力に接続され、前記整流モジュールが出力した電圧を平滑化する平滑化キャパシタと、
前記配線基板の前記第４面上に配置され、前記配線基板の配線を介して前記リアクタを含むＬＣフィルタの出力に接続され、前記ＬＣフィルタが出力した電圧をフィルタリングして出力するノイズフィルタと、
前記収納ケースの前記第１面上で、前記整流モジュール、Ｈブリッジモジュール、及び、リアクタを封止するとともに、前記配線基板、及び、前記配線基板の前記第４面上の、前記制御部、平滑化キャパシタ、並びに、ノイズフィルタを封止する、第１の封止部材と、を備える
ことを特徴とする。【００１２】
前記電力変換装置において、
前記整流モジュールは、前記第１の封止部材とは異なる第２の封止部材を有し、前記整流モジュールの回路部分は、前記第２の封止部材で封止され、
前記Ｈブリッジモジュールは、前記第１の封止部材とは異なる第３の封止部材を有し、前記Ｈブリッジモジュールの回路部分は、前記第３の封止部材で封止されている
ていることを特徴とする。【００１３】
前記電力変換装置において、
前記整流モジュールと前記Ｈブリッジモジュールとが隣接する第１の方向は、前記収納ケースの前記第１面上において、前記Ｈブリッジモジュールと前記リアクタとが隣接する第２の方向と、異なり、
前記平滑化キャパシタは、前記整流モジュールに隣接し且つ前記リアクタと反対側で前記Ｈブリッジモジュールと前記第２の方向に隣接する領域の上方に、位置するように、前記配線基板の前記第４面上に配置されている
ことを特徴とする。【００１４】
前記電力変換装置において、
前記配線基板の前記第４面上に配置され、前記配線基板の配線を介して前記整流モジュールの入力に接続され、前記第１の封止部材により前記配線基板との接続部分が封止され、前記入力電圧が供給される入力端子をさらに備える
ことを特徴とする。【００１５】
前記電力変換装置において、
前記配線基板の前記第４面上に配置され、前記配線基板に接続され、前記第１の封止部材により前記配線基板との接続部分が封止され、前記ノイズフィルタから供給された電圧を前記出力電圧として出力する出力端子をさらに備える
ことを特徴とする。【００１６】
前記電力変換装置において、
前記収納ケースの前記第１面上に配置された、前記整流モジュール、Ｈブリッジモジュール、及び、リアクタの動作時の単位時間当たりの発熱量は、前記配線基板の前記第４面上に配置された平滑化キャパシタ、及び、ノイズフィルタの動作時の単位時間当たりの発熱量よりも、大きい
ことを特徴とする。【００１７】
前記電力変換装置において、
前記Ｈブリッジモジュールの動作時の単位時間当たりの発熱量が前記整流モジュールの動作時の単位時間当たりの発熱量よりも、大きい
ことを特徴とする。【００１８】
前記電力変換装置において、
前記リアクタの動作時の単位時間当たりの発熱量は、前記整流モジュール及び前記Ｈブリッジモジュールの動作時の単位時間当たりの発熱量よりも、小さいことを特徴とする。【００１９】
前記電力変換装置において、
前記整流モジュールが配置される前記第１面の前記第１領域は、前記収納ケースの前記第１面に凹むように形成された第１凹部であり、前記第１凹部の前記第２面側は、前記収納ケースの前記第２面から突出している
ことを特徴とする。【００２０】
前記電力変換装置において、
前記Ｈブリッジモジュールが配置される前記第１面の前記第２領域は、前記収納ケースの前記第１面に凹むように形成された第２凹部であり、前記第２凹部の前記第２面側は、前記収納ケースの前記第２面から突出している
ことを特徴とする。【００２１】
前記電力変換装置において、
前記リアクタが配置される前記第１面の前記第３領域は、前記収納ケースの前記第１面に凹むように形成された第３凹部であり、前記第３凹部の前記第２面側は、前記収納ケースの前記第２面から突出している
ことを特徴とする。【００２２】
前記電力変換装置において、
前記収納ケースの前記第２面上に配置された放熱フィンをさらに備えることを特徴とする。【００２３】
前記電力変換装置において、
前記放熱フィンは、前記第２面上において、前記第１面の前記整流モジュールが配置された前記第１領域から前記Ｈブリッジモジュールが配置された前記第２領域に亘る領域に対して、前記収納ケースを介して連続して対向するように、延在している
ことを特徴とする。【００２４】
前記電力変換装置において、
前記放熱フィンは、前記第１面上で前記第１領域と前記第２領域とが隣接する第１の方向に平行な方向に延在するように、前記第２面上に設けられていることを特徴とする。【００２５】
前記電力変換装置において、
前記放熱フィンは、外部から供給された気流により冷却されることで、少なくとも前記整流モジュール及びＨブリッジモジュールが発する熱を外部に放出するように構成されるとともに、
前記放熱フィンにより誘導される気流の少なくとも一部が、前記リアクタが配置される前記第３凹部の前記第２面側を避けるように配置されている
ことを特徴とする。
【発明の効果】
【００２６】
本発明の一態様に係る電力変換装置は、入力電圧を電力変換した出力電圧を出力する電力変換装置であって、第１面および前記第１面の反対側の第２面を有する収納ケースと、前記収納ケース内に配置され、前記収納ケースの前記第１面に対向する第３面および前記第３面の反対側の第４面を有する配線基板と、前記収納ケースの前記第１面上の第１領域に配置され、前記配線基板に電気的に接続され、前記入力電圧を整流して出力する整流モジュールＹと、前記収納ケースの前記第１面上の第２領域に前記整流モジュールに隣接して配置され、前記配線基板に電気的に接続され、前記整流モジュールが整流した電圧を変換して出力するＨブリッジモジュールと、前記収納ケースの前記第１面上の第３領域に前記Ｈブリッジモジュールに隣接して配置され、前記配線基板に電気的に接続され、Ｈブリッジモジュールが出力した電圧を調整して出力するリアクタと、前記配線基板の前記第４面上に配置され、前記整流モジュール及びＨブリッジモジュールの動作を制御する制御部と、前記配線基板の前記第４面上に配置され、前記配線基板の配線を介して前記整流モジュールの出力に接続され、前記整流モジュールが出力した電圧を平滑化する平滑化キャパシタと、前記配線基板の前記第４面上に配置され、前記配線基板の配線を介して前記リアクタの出力に接続され、前記リアクタが出力した電圧をフィルタリングして出力するノイズフィルタと、前記収納ケースの前記第１面上で、前記整流モジュール、Ｈブリッジモジュール、及び、リアクタを封止するとともに、前記配線基板、及び、前記配線基板の前記第４面上の、前記制御部、平滑化キャパシタ、並びに、ノイズフィルタを封止する、第１の封止部材と、を備える。【００２７】
これにより、発熱量が大きい整流モジュール、Ｈブリッジモジュール、及び、リアクタを放熱性が高い収納ケースＨの第１面上に配置するとともに、発熱量が小さいされた平滑化キャパシタ、及び、ノイズフィルタや熱の影響を低減すべき制御部を配線基板の第４面上に配置することで、放熱性及び制御性を向上しつつ、各部品の配置を最適化することができる。【００２８】
すなわち、本発明の一態様に係る電力変換装置は、熱設計のマージンを考慮して電流経路を最適化しつつ、サイズの縮小を図ることができる。
【図面の簡単な説明】
【００２９】
【図１】図１は、第１の実施形態に係る電力変換装置１００が適用される発電システム１０００の構成の一例を示す図である。
【図２】図２は、図１に示第１の実施形態に係る電力変換装置１００の主要な構成の一例を示すブロック図である。
【図３】図３は、図２に示す電力変換装置１００の外観の構成の一例を示す上面図である。
【図４】図４は、図３に示す電力変換装置１００の構成の一例を示す断面図である。
【図５】図５は、図３に示す電力変換装置１００の収納ケースＨの下面図である。
【図６】図６は、図５に示す収納ケースＨの側面図である。
【図７】図７は、図５に示す収納ケースＨの斜視図である。
【図８】図８は、図７に示す収納ケースＨに、第１ないし第３の電子部品Ｙ、Ｍ、Ｒを搭載した、封止前の状態の一例を示す斜視図である。
【図９】図９は、図７に示す収納ケースＨに、第１ないし第３の電子部品Ｙ、Ｍ、Ｒを搭載した、樹脂封止前の状態の一例を示す上面図である。
【図１０】図１０は、図３、図４に示す配線基板１０の一例を示す上面図である。
【発明を実施するための最良の形態】
【００３０】
以下、本発明に係る実施形態について図面に基づいて説明する。
【第１の実施形態】
【００３１】
図１は、第１の実施形態に係る電力変換装置１００が適用される発電システム１０００の構成の一例を示す図である。また、図２は、図１に示第１の実施形態に係る電力変換装置１００の主要な構成の一例を示すブロック図である。また、図３は、図２に示す電力変換装置１００の外観の構成の一例を示す上面図である。また、図４は、図３に示す電力変換装置１００の構成の一例を示す断面図である。また、図５は、図３に示す電力変換装置１００の収納ケースＨの下面図である。また、図６は、図５に示す収納ケースＨの側面図である。また、図７は、図５に示す収納ケースＨの斜視図である。また、図８は、図７に示す収納ケースＨに、第１ないし第３の電子部品Ｙ、Ｍ、Ｒを搭載した、封止前の状態の一例を示す斜視図である。また、図９は、図７に示す収納ケースＨに、第１ないし第３の電子部品Ｙ、Ｍ、Ｒを搭載した、樹脂封止前の状態の一例を示す上面図である。また、図１０は、図３、図４に示す配線基板１０の一例を示す上面図である。
【００３２】
なお、図２においては、簡単のため、電力変換装置１００が入力電圧ＶＩＮを出力端子ＴＯＵＴに電力変換するために必要な構成を示し、その他の構成については省略している。また、図３においては、電力変換装置１００の各電子部品及び配線基板１０が第１の封止部材１１により封止された状態を示している。また、図４においては、第４の電子部品Ｗを通る第２の方向Ｄ２に平行な直線に沿った電力変換装置１００の断面を示している。
【００３３】
発電システム１０００は、例えば、図１に示すように、エンジンＥと、エンジンＥに接続されたオルタネータ（図示せず）により駆動するファンＸと、該オルタネータが出力した交流電圧（入力電圧ＶＩＮ）を電力変換した交流電圧（出力電圧ＶＯＵＴ）を出力する電力変換装置１００とを備える。
【００３４】
この発電システム１０００において、ファンＸが駆動することにより、外部から冷却風である気流Ａが発電システム１０００の内部に流れ込み、電力変換装置１００及びエンジンＥの周囲に誘導される。これにより、電力変換装置１００及びエンジンＥが冷却風である気流Ａにより冷却され、電力変換装置１００及びエンジンＥが発した熱が気流Ｂとともに外部に放出されることとなる。
【００３５】
このような電力変換装置１００は、例えば、図２、図３に示すように、収納ケースＨと、放熱フィンＺと、第１の封止部材１１と、配線基板１０と、入力端子ＴＩＮと、出力端子ＴＯＵＴと、第１の電子部品（整流モジュール）Ｙと、第２の電子部品（Ｈブリッジモジュール）Ｍと、ＬＣフィルタ（第３の電子部品（リアクタ）Ｒ、キャパシタCF1）ＬＣと、平滑化キャパシタＣと、ノイズフィルタＦと、制御部ＣＯＮと、を備える。
【００３６】
なお、ノイズフィルタＦには、キャパシタＣ２Ｆと、第４の電子部品Ｗと、が含まれる。
【００３７】
そして、例えば、図４ないし図９に示すように、収納ケースＨは、当該収納ケースＨの内面（電子部品搭載面）である第１面（上面）Ａ１および第１面Ａ１の反対側の第２面Ａ２（下面、外面）を有する。
【００３８】
この収納ケースＨと放熱フィンＺとは、例えば、アルミニウムにより構成されており、一体成型されている。
【００３９】
また、第１の電子部品Ｙは、例えば、図８、図９に示すように、収納ケースＨの第１面Ａ１上の第１領域Ｓ１に配置されている。この第１の電子部品Ｙは、動作することにより発熱する第１の発熱源である。
【００４０】
この第１の電子部品Ｙは、例えば、図２に示すように、配線基板１０に電気的に接続され、制御部ＣＯＮにより制御され、入力電圧（交流電圧）ＶＩＮを整流して出力する整流回路（整流モジュール）である。
【００４１】
この第１の電子部品Ｙは、第１の封止部材１１とは異なる第２の封止部材（封止樹脂）によりモールドされている。すなわち、整流モジュールＹは、第１の封止部材１１とは異なる第２の封止部材を有し、整流モジュールＹの回路部分は当該第２の封止部材で封止されている。
【００４２】
そして、この第１の電子部品Ｙは、例えば、図８、図９に示すように、入力電圧ＶＩＮ、整流電圧、又は制御信号を入出力するための複数の端子ＹＴを備える。これらの端子ＹＴは、配線基板１０の電極１０Ｙにはんだ材等により電気的に接続されている（図３、図１０）。
【００４３】
このように、第１の電子部品（整流モジュール）Ｙは、配線基板１０に電気的に接続されている。特に、この整流モジュールＹの入力（入力用の端子ＹＴ、電極１０Ｙ）は、配線基板１０の配線１０Ｙａを介して、入力端子ＴＩＮに接続され、整流モジュールＹの出力（出力用の端子ＹＴ、電極１０Ｙ）は、配線基板１０の配線１０Ｃａを介して、平滑化キャパシタＣに接続されている（図３）。
【００４４】
ここで、例えば、図７ないし図９に示すように、第１の電子部品Ｙが配置される第１面Ａ１の第１領域Ｓ１は、収納ケースＨの第１面Ａ１に凹むように形成された第１凹部Ｓ１ｂである。そして、この第１凹部Ｓ１ｂの第２面Ａ２側は、収納ケースＨの第２面Ａ２から突出している凸部Ｓ１ａである（図５）。
【００４５】
また、第２の電子部品Ｍは、例えば、図８、図９に示すように、収納ケースＨの第１面Ａ１上の第２領域Ｓ２に、第１の電子部品Ｙに第１の方向Ｄ１に隣接して配置されている。この第２の電子部品Ｍは、動作することにより発熱する第２の発熱源である。
【００４６】
この第２の電子部品Ｍは、例えば、図２に示すように、配線基板１０に電気的に接続され、制御部ＣＯＮにより制御され、整流回路（第１の電子部品）Ｙが整流した電圧を変換して出力するＨブリッジモジュール（Ｈブリッジ回路）である。
【００４７】
この第２の電子部品Ｍは、第１の封止部材１１とは異なる第３の封止部材（封止樹脂）によりモールドされている。すなわち、ＨブリッジモジュールＭは、第１の封止部材１１とは異なる第３の封止部材を有し、ＨブリッジモジュールＭの回路部分は当該第３の封止部材で封止されている。
【００４８】
そして、この第２の電子部品Ｍは、例えば、図８、図９に示すように、整流電圧、交流電圧、又は制御信号を入出力するための複数の端子ＭＴを備える。これらの端子ＭＴは、配線基板１０の電極１０Ｍにはんだ材等により電気的に接続されている（図３、図１０）。
【００４９】
このように、第２の電子部品（Ｈブリッジモジュール）Ｍは、配線基板１０に電気的に接続されている。特に、このＨブリッジモジュールＭの入力（入力用の端子ＭＴ、電極１０Ｍ）は、配線基板１０の配線１０Ｃａ、１０Ｃｂを介して、整流モジュールＹの出力（出力用の端子ＭＴ、電極１０Ｙ）に接続され、ＨブリッジモジュールＭの出力（出力用の端子ＭＴ、電極１０Ｍ）は、配線基板１０の配線１０Ｒａを介して、リアクタＲの入力（入力用の端子ＭＴ、電極１０Ｙ）に接続されている（図３）。
【００５０】
なお、この第２の電子部品（Ｈブリッジモジュール）Ｍの動作時の単位時間当たりの発熱量が、第１の電子部品（整流モジュール）Ｙの動作時の単位時間当たりの発熱量よりも、大きくなっている。
【００５１】
ここで、例えば、図７ないし図９に示すように、第２の電子部品Ｍが配置される第１面Ａ１の第２領域Ｓ２は、収納ケースＨの第１面Ａ１に凹むように形成された第２凹部Ｓ２ｂである。そして、この第２凹部Ｓ２ｂの第２面Ａ２側は、収納ケースＨの第２面Ａ２から突出している凸部Ｓ２ａである（図５）。
【００５２】
また、第３の電子部品Ｒは、例えば、図８、図９に示すように、収納ケースＨの第１面Ａ１上の第３領域Ｓ３に、第２の方向Ｄに第２の電子部品（Ｈブリッジモジュール）Ｍと隣接するように配置されている。この第３の電子部品Ｒは、動作することにより発熱する第３の発熱源である。
【００５３】
この第３の電子部品Ｒは、例えば、図２に示すように、配線基板１０に電気的に接続され、ＨブリッジモジュールＭが出力した電圧を調整して（高周波成分を除去して）出力するリアクタである。
【００５４】
この第３の電子部品Ｒは、例えば、図８、図９に示すように、ＨブリッジモジュールＭが出力した電圧が入力され、調整した電圧を出力するための複数の端子ＲＴを備える。これらの端子ＲＴは、配線基板１０の電極１０Ｙにはんだ材等により電気的に接続されている（図３、図１０）。
【００５５】
このように、第３の電子部品（リアクタ）Ｒは、配線基板１０に電気的に接続されている。特に、このリアクタＲの入力（入力用の端子ＲＴ、電極１０Ｒ）は、配線基板１０の配線１０Ｒａを介して、ＨブリッジモジュールＭの出力に接続され、リアクタＲの出力（出力用の端子ＲＴ、電極１０Ｒ）は、配線基板１０の配線１０Ｒｂと配線基板１０の第４面Ａ４上に配置されたキャパシタC1Fを介して、ノイズフィルタＦの入力に接続されている（図３）。
【００５６】
なお、この第３の電子部品（リアクタ）Ｒの動作時の単位時間当たりの発熱量は、第１の電子部品（整流モジュール）Ｙ及び第２の電子部品（Ｈブリッジモジュール）Ｍの動作時の単位時間当たりの発熱量よりも、小さくなっている。
【００５７】
ここで、例えば、図７ないし図９に示すように、第３の電子部品Ｒが配置される第１面Ａ１の第３領域Ｓ３は、収納ケースＨの第１面Ａ１に凹むように形成された第３凹部Ｓ３ｂである。そして、この第３凹部Ｓ３ｂの第２面Ａ２側は、収納ケースＨの第２面Ａ２から突出している凸部Ｓ３ａである（図５）。
【００５８】
また、第４の電子部品Ｗは、例えば、図４、図８、図９に示すように、収納ケースＨの第１面Ａ１上の第４領域Ｓ４に、第３の電子部品Ｒと隣接するように配置されている。この第４の電子部品Ｒは、ノイズフィルタＦを構成する巻線である。
【００５９】
ここで、例えば、図７ないし図９に示すように、第４の電子部品Ｒが配置される第１面Ａ１の第４領域Ｓ４は、収納ケースＨの第１面Ａ１に凹むように形成された第４凹部Ｓ４ｂである。そして、この第４凹部Ｓ４ｂの第２面Ａ２側は、収納ケースＨの第２面Ａ２から突出している凸部Ｓ４ａである（図５）。
【００６０】
このように、第１ないし第４の電子部品Ｙ、Ｍ、Ｒ、Ｗは、収納ケースＨの略矩形の第１面（内面）Ａ１の外周に沿って（すなわち、電流が流れる電流経路に沿って）配置されている。
【００６１】
これにより、収納ケースＨが第１ないし第４の電子部品Ｙ、Ｍ、Ｒ、Ｗを収納するためスペースを縮小して、電力変換装置１００のサイズの縮小を図ることができる。
【００６２】
また、配線基板１０は、例えば、図３、図４に示すように、収納ケースＨ内に配置されている。この配線基板１０は、収納ケースＨの第１面Ａ１に対向する第３面Ａ３（下面）および第３面Ａ３の反対側の第４面Ａ４（上面）を有する。
【００６３】
そして、この配線基板１０は、複数の配線１０Ｙａ、１０Ｃａ、１０Ｃｂ、１０Ｒａ、１０Ｒｂ、１０Ｆａ、１０ａ、１０ｂと、複数の電極１０Ｙ、１０Ｍ、１０Ｒ、１０Ｆと、を備える。
【００６４】
また、入力端子ＴＩＮは、例えば、図３、図１０に示すように、配線基板１０の第４面Ａ４上に配置されている。この入力端子ＴＩＮは、配線基板１０の配線を介して整流モジュール（第１の電子部品Ｙ）の入力に接続されている。
【００６５】
この入力端子ＴＩＮは、第１の封止部材１１により配線基板１０との接続部分が封止されている。この入力端子ＴＩＮは、入力電圧ＶＩＮが供給されるようになっている。
【００６６】
この入力端子ＴＩＮは、例えば、図３に示すように、配線基板１０の配線１０Ｙａを介して電極１０Ｙに電気的に接続されている。
【００６７】
また、平滑化キャパシタＣは、例えば、図３、図１０に示すように、配線基板１０の第４面Ａ４上に配置されている。
【００６８】
特に、この平滑化キャパシタＣは、例えば、図３、図８に示すように、整流モジュールＹ（第１領域Ｓ１）に隣接し且つリアクタＲ（第３領域Ｓ３）と反対側でＨブリッジモジュールＭ（第２領域Ｓ２）と第２の方向Ｄ２に隣接する領域の上方に、位置するように、配線基板１０の第４面Ａ４上に配置されている。
【００６９】
この平滑化キャパシタＣは、配線基板１０の配線１０Ｃａを介して整流モジュール（第１の電子部品）Ｙの出力（出力用の端子ＹＴ、電極１０Ｙ）に接続されている。
【００７０】
この平滑化キャパシタＣは、例えば、図３、図１０に示すように、第１の封止部材１１により配線基板１０との接続部分が封止されている。この平滑化キャパシタＣは、整流モジュール（第１の電子部品）Ｙが出力した電圧を平滑化するようになっている。
【００７１】
この平滑化キャパシタＣは、例えば、図３に示すように、配線基板１０の配線１０Ｃａを介して電極１０Ｙに電気的に接続されている。さらに、この平滑化キャパシタＣは、例えば、図３に示すように、配線基板１０の配線１０Ｃｂを介して電極１０Ｍに電気的に接続されている。すなわち、この平滑化キャパシタＣは、配線基板１０の配線１０Ｃｂを介して、ＨブリッジモジュールＭの入力（入力用の端子ＭＴ、電極１０Ｍ）に接続されている。
【００７２】
また、ノイズフィルタＦのキャパシタＣＦ２は、例えば、図３、図４に示すように、配線基板１０の第４面Ａ４上に配置されている。このノイズフィルタＦは、第３の電子部品（リアクタ）ＲとキャパシタＣＦ１で構成されるＬＣフィルタＦＸが出力した電圧をフィルタリングして、出力端子ＴＯＵＴに出力するようになっている。
【００７３】
このノイズフィルタＦの入力は、例えば、図３に示すように、配線基板１０の配線１０ＲｂとキャパシタＣＦ１を介してリアクタＲの出力に接続されている。そして、このノイズフィルタＦの出力は、配線基板１０の配線１０Ｆａを介して出力端子ＴＯＵＴに電気的に接続されている。
【００７４】
特に、ノイズフィルタＦのキャパシタＣＦ２は、配線基板１０の第４面Ａ４上に配置され、配線基板１０の配線１０Ｆａを介してリアクタＲの出力（出力用の端子ＲＴ、電極１０Ｒ）に接続され、ＬＣフィルタＦＸが出力した電圧をフィルタリングして出力するようになっている。
【００７５】
また、出力端子ＴＯＵＴは、例えば、図３、図１０に示すように、配線基板１０の第４面（上面）Ａ４上に配置されている。この出力端子ＴＯＵＴは、配線基板１０に接続され、第１の封止部材１１により配線基板１０との接続部分が封止されている。
【００７６】
この出力端子ＴＯＵＴは、ノイズフィルタＦから供給された電圧を出力電圧ＶＯＵＴとして出力するようになっている。
【００７７】
また、制御部ＣＯＮは、例えば、図３、図４に示すように、配線基板１０の第４面Ａ４上に配置されている。この制御部ＣＯＮは、例えば、図２に示すように、第１の電子部品（整流モジュール）Ｙ及び第２の電子部品（Ｈブリッジモジュール）Ｍの動作を制御するようになっている。
【００７８】
この制御部ＣＯＮは、図３に示す配線基板１０の配線１０ａ及び電極１０Ｙを介して制御信号を入出力して、第１の電子部品（整流モジュール）Ｙの動作を制御するようになっている。
【００７９】
さらに、制御部ＣＯＮは、図３に示す配線基板１０の配線１０ｂ及び電極１０Ｍを介して、制御信号を入出力して、第２の電子部品（Ｈブリッジモジュール）Ｍの動作を制御するようになっている。  
【００８０】
また、第１の封止部材１１は、例えば、図３、図４に示すように、収納ケースＨの第１面Ａ１上で、第１ないし第４の電子部品Ｙ、Ｍ、Ｒ、Ｗを封止するようになっている。
【００８１】
さらに、第１の封止部材１１は、配線基板１０および配線基板１０の第４面Ａ４上の、制御部ＣＯＮ、入力端子ＴＩＮの一部、平滑化キャパシタＣの一部、ノイズフィルタＦのキャパシタＣＦ２の一部、及び、出力端子ＴＯＵＴの一部を封止するようになっている。
【００８２】
この第１の封止部材１１は、例えば、エポキシ樹脂等の封止樹脂である。
【００８３】
また、放熱フィンＺは、例えば、図４ないし図８に示すように、収納ケースＨの第２面（外面）Ａ２上に配置されている。
【００８４】
この放熱フィンＺは、発電システム１０００の外部から供給された気流により冷却されることで、少なくとも第１及び第２の電子部品Ｍが発する熱を外部に放出するように構成されている。
【００８５】
この放熱フィンＺは、例えば、図５に示すように、第２面Ａ２上において、第１面Ａ１の第１の電子部品Ｙが配置された第１領域Ｓ１から第２の電子部品Ｍが配置された第２領域Ｓ２に亘る領域に対して、収納ケースＨを介して連続して対向するように、延在している。すなわち、放熱フィンＺは、第１凹部Ｓ１ｂ及び第２凹部Ｓ２ｂの第２面Ａ２側の凸部Ｓ２ａ、Ｓ３ａに接している。
【００８６】
さらに、図５に示すように、放熱フィンＺは、第１面Ａ１上で第１領域Ｓ１と第２領域Ｓ２とが隣接する第１の方向Ｄ１に平行な方向に延在するように、第２面Ａ２上に設けられている。
【００８７】
また、この放熱フィンＺは、例えば、図５に示すように、第１の方向Ｄ１に平行な方向に延在するように、複数個設けられている。
【００８８】
そして、この放熱フィンＺは、例えば、図６に示すように、収納ケースＨの第２面Ａ２から突出した平板状の形状を有する。
【００８９】
なお、放熱フィンＺは、例えば、図５、図６に示すように、第２面Ａ２上において、第１面Ａ１の第３の電子部品Ｒが配置された第３領域Ｓ３に対向する領域には、設けられていない。そして、例えば、図５、図６に示すように、放熱フィンＺは、第３凹部Ｓ３ｂの第２面Ａ２側に接していない。言い換えれば、放熱フィンＺがリアクタである第３の電子部品Ｒ用には設けられていない。
【００９０】
ここで、既述のように、第２の電子部品（Ｈブリッジモジュール）Ｍの動作時の単位時間当たりの発熱量が第１の電子部品（整流モジュール）Ｙの動作時の単位時間当たりの発熱量よりも、大きくなっている。
【００９１】
さらに、既述のように、第３の電子部品（リアクタ）Ｒの動作時の単位時間当たりの発熱量は、第１の電子部品（Ｈブリッジモジュール）Ｙ及び第２の電子部品（整流モジュール）Ｍの動作時の単位時間当たりの発熱量よりも、小さくなっている。
【００９２】
そこで、既述のように、発熱量が高い第２の電子部品（Ｈブリッジモジュール）Ｍと第１の電子部品（整流モジュール）Ｙとを隣接して配置している。そして、これら第１、第２の電子部品Ｙ、Ｍの熱を放熱する放熱フィンＺを、気流の誘導方向がリアクタＲから離れるようにモジュールＭ側から整流モジュールＹ側に向かう第１の方向Ｄ１に沿うように、設けている。
【００９３】
そして、例えば、図５ないし図９に示すように、収納ケースＨの第１面Ａ１上において、第１の電子部品Ｙと第２の電子部品Ｍとが隣接する第１の方向Ｄ１は、第２の電子部品Ｍと第３の電子部品Ｒとが隣接する第２の方向Ｄ２と、異なる。
【００９４】
すなわち、放熱フィンＺは、放熱フィンＺにより誘導される気流の少なくとも一部が第３の電子部品Ｒが配置される第３凹部Ｓ３ｂの第２面Ａ２側を避けるように配置されている。
【００９５】
これにより、例えば、気流（冷却風）は、第２の電子部品（モジュール）Ｍに隣接する第３の電子部品（リアクタ）Ｒから離れるように放熱フィンＺに沿って誘導され、第３の電子部品（リアクタ）Ｒからの煽り熱を避けながら、発熱量が大きい第２の電子部品（モジュール）Ｍで生じた熱および第１の電子部品（整流モジュール）Ｙで生じた熱を順に放熱する。
【００９６】
このようにして、電力変換装置１００の発熱源である電子部品から生じた熱の放熱性の向上を図ることができる。
【００９７】
特に、収納ケースＨの第１面Ａ１上に配置された、整流モジュールＹ、ＨブリッジモジュールＭ、及び、リアクタＲの動作時の単位時間当たりの発熱量は、配線基板１０の第４面Ａ４上に配置された平滑化キャパシタＣ、及び、ノイズフィルタＦの動作時の単位時間当たりの発熱量よりも、大きくなっている。
【００９８】
これにより、発熱量が大きい整流モジュールＹ、ＨブリッジモジュールＭ、及び、リアクタＲを放熱性が高い収納ケースＨの第１面Ａ１上に配置するとともに、発熱量が小さいされた平滑化キャパシタＣ、及び、ノイズフィルタＦや熱の影響を低減すべき制御部ＣＯＮを配線基板１０の第４面Ａ４上に配置することで、放熱性及び制御性を向上しつつ、各部品の配置を最適化することができる。
【００９９】
すなわち、電力変換装置１００の熱設計のマージンを考慮して電流経路を最適化しつつ、サイズの縮小を図ることができる。
【０１００】
以上のように、本発明の一態様に係る電力変換装置は、入力電圧を電力変換した出力電圧を出力する電力変換装置であって、第１面および第１面の反対側の第２面を有する収納ケースと、収納ケース内に配置され、収納ケースの第１面に対向する第３面および第３面の反対側の第４面を有する配線基板と、収納ケースの第１面上の第１領域に配置され、配線基板に電気的に接続され、入力電圧を整流して出力する整流モジュールＹと、収納ケースの第１面上の第２領域に整流モジュールに隣接して配置され、配線基板に電気的に接続され、整流モジュールが整流した電圧を変換して出力するＨブリッジモジュールと、収納ケースの第１面上の第３領域にＨブリッジモジュールに隣接して配置され、配線基板に電気的に接続され、Ｈブリッジモジュールが出力した電圧を調整して出力するリアクタと、配線基板の第４面上に配置され、整流モジュール及びＨブリッジモジュールの動作を制御する制御部と、配線基板の第４面上に配置され、配線基板の配線を介して整流モジュールの出力に接続され、整流モジュールが出力した電圧を平滑化する平滑化キャパシタと、配線基板の第４面上に配置され、配線基板の配線を介してリアクタの出力に接続され、リアクタが出力した電圧をフィルタリングして出力するノイズフィルタと、収納ケースの第１面上で、整流モジュール、Ｈブリッジモジュール、及び、リアクタを封止するとともに、配線基板、及び、配線基板の第４面上の、制御部、平滑化キャパシタ、並びに、ノイズフィルタを封止する、第１の封止部材と、を備える。
【０１０１】
これにより、発熱量が大きい整流モジュール、Ｈブリッジモジュール、及び、リアクタを放熱性が高い収納ケースＨの第１面上に配置するとともに、発熱量が小さいされた平滑化キャパシタ、及び、ノイズフィルタや熱の影響を低減すべき制御部を配線基板の第４面上に配置することで、放熱性及び制御性を向上しつつ、各部品の配置を最適化することができる。
【０１０２】
すなわち、本発明の一態様に係る電力変換装置は、熱設計のマージンを考慮して電流経路を最適化しつつ、サイズの縮小を図ることができる。
【０１０３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０４】
１００  電力変換装置
１０００  発電システム
Ｅ  エンジン
Ｘ  ファン
Ａ、Ｂ  気流
Ｈ  収納ケース
Ｚ  放熱フィン
１１  第１の封止部材
１０  配線基板
ＴＩＮ  入力端子
ＴＯＵＴ  出力端子
Ｙ  第１の電子部品（整流回路、整流モジュール）
Ｍ  第２の電子部品（Ｈブリッジ回路、Ｈブリッジモジュール）
Ｒ  第３の電子部品（リアクタ）
Ｗ  第４の電子部品、
Ｃ  平滑化キャパシタ
ＦＸ  ＬＣフィルタ
Ｆ  ノイズフィルタ
ＣＯＮ  制御部
ＣＦ１、Ｃ２Ｆ  キャパシタ
１０Ｙａ、１０Ｃａ、１０Ｃｂ、１０Ｒａ、１０Ｒｂ、１０Ｆａ、１０ａ、１０ｂ  配線
１０Ｙ、１０Ｍ、１０Ｒ、１０Ｆ  電極
【要約】
電力変換装置は、第１面および第１面の反対側の第２面を有する収納ケースと、収納ケース内に配置され、収納ケースの第１面に対向する第３面および第３面の反対側の第４面を有する配線基板と、収納ケースの第１面上で、整流モジュール、Ｈブリッジモジュール、及び、リアクタを封止するとともに、配線基板、及び、配線基板の第４面上の、制御部、平滑化キャパシタ、並びに、ノイズフィルタを封止する、第１の封止部材と、を備える。【図１】
0006487119.tif 000002
【図２】
0006487119.tif 000003
【図３】
0006487119.tif 000004
【図４】
0006487119.tif 000005
【図５】
0006487119.tif 000006
【図６】
0006487119.tif 000007
【図７】
0006487119.tif 000008
【図８】
0006487119.tif 000009
【図９】
0006487119.tif 000010
【図１０】
0006487119.tif 000011